(57)【要約】【課題】部品点数を増やすことなく、誘導加熱コイルの冷却効率を向上させる。【解決手段】本体１と、本体１上面を覆うトッププレート２と、トッププレート下方に設けられた誘導加熱コイル１６と、誘導加熱コイル１６を駆動させる電子部品が搭載された出力制御基板１５と、誘導加熱コイル１６及び出力制御基板１５を冷却する冷却ファン１３とを備え、誘導加熱コイル１６は、複数本の素線にて構成され、複数本の素線は、出力制御基板１５に接続される複数本の接続素線１６ｄと、出力制御基板１５に接続されない複数本の非接続素線１６ｅと、で構成する。【選択図】図５
2013171826.tif 000002
【特許請求の範囲】
【請求項１】
本体と、
前記本体上面を覆うトッププレートと、
前記トッププレート下方に設けられた誘導加熱コイルと、
前記誘導加熱コイルを駆動させる電子部品が搭載された出力制御基板と、
前記誘導加熱コイル及び前記出力制御基板を冷却する冷却ファンとを備え、
前記誘導加熱コイルは、複数本の素線にて構成され、
前記複数本の素線は、
前記出力制御基板に接続される複数本の接続素線と、
前記出力制御基板に接続されない複数本の非接続素線と、
で構成されていることを特徴とする誘導加熱調理器。
【請求項２】
前記複数本の非接続素線は、前記誘導加熱コイルにおける前記冷却ファンからの風が当たり難い風下側に配置されていることを特徴とする請求項１記載の誘導加熱調理器。
【請求項３】
前記複数本の非接続素線は、前記誘導加熱コイルの最外周に配置されていることを特徴とする請求項１記載の誘導加熱調理器。
【発明の詳細な説明】
【技術分野】
【０００１】
本発明は、誘導加熱コイルの冷却効率の高い誘導加熱調理器に関する。
【背景技術】
【０００２】
誘導加熱調理器は、一般に、本体と、本体上面を覆うトッププレートと、トッププレートの下方に設けられた複数のコイルユニットとを備えている。また、コイルユニットは、誘導加熱コイルと、フェライトと、誘導加熱コイルおよびフェライトを支持するコイルベースと、コイルベースを載置するベースプレートとを有している。このようなものにおいて、誘導加熱コイルとフェライトとベースプレートをそれぞれ高熱伝導性部材により熱的に接続させて配置することで、誘導加熱コイルの冷却効率を高めたものがある（例えば、特許文献１参照）。
【先行技術文献】
【特許文献】
【０００３】
【特許文献１】特開２０１０−０７３３８５号公報（請求項１、図２）
【発明の概要】
【発明が解決しようとする課題】
【０００４】
特許文献１に記載されているような誘導加熱調理器では、誘導加熱コイル−高熱伝導性部材−コイルベース−高熱伝導性部材−フェライト−高熱伝導性部材の配置となり、構成が複雑で、部品点数も増えてしまう。
【０００５】
本発明は、前記のような課題を解決するためになされたもので、部品点数を増やすことなく、誘導加熱コイルの冷却効率を向上させることを目的とする。
【課題を解決するための手段】
【０００６】
本発明に係る誘導加熱調理器は、本体と、本体上面を覆うトッププレートと、トッププレート下方に設けられた誘導加熱コイルと、誘導加熱コイルを駆動させる電子部品が搭載された出力制御基板と、誘導加熱コイル及び出力制御基板を冷却する冷却ファンとを備え、誘導加熱コイルは、複数本の素線にて構成され、複数本の素線は、出力制御基板に接続される複数本の接続素線と、出力制御基板に接続されない複数本の非接続素線と、で構成されたものである。
【発明の効果】
【０００７】
本発明の誘導加熱調理器においては、誘導加熱コイルが、複数本の素線にて構成され、複数本の素線が、出力制御基板に接続される複数本の接続素線と、出力制御基板に接続されない複数本の非接続素線と、で構成されているので、発熱した接続素線の熱を出力制御基板に接続されていない非接続素線に熱伝導させることができる。これにより、部品点数を増やすことなく、発熱した誘導加熱コイルの温度が下がり、また冷却風による冷却効率も向上させることができる。
【図面の簡単な説明】
【０００８】
【図１】本発明の実施形態１に係る誘導加熱調理器の外観を示す斜視図である。
【図２】本発明の実施形態１に係る誘導加熱調理器の内部構成を透過的に示す平面図である。
【図３】本発明の実施形態１に係る誘導加熱調理器の内部風路の構成を側方より示す縦断面図である。
【図４】本発明の実施形態１に係る誘導加熱調理器のコイルユニットを拡大して示す平面図である。
【図５】本発明の実施形態１に係る誘導加熱調理器の誘導加熱コイルの構成を拡大して示す断面図である。
【図６】本発明の実施形態２に係る誘導加熱調理器の誘導加熱コイルの構成を拡大して示す断面図である。
【図７】本発明の実施形態３に係る誘導加熱調理器の誘導加熱コイルの構成を拡大して示す断面図である。
【発明を実施するための形態】
【０００９】
実施形態１．
図１は本発明の実施形態１に係る誘導加熱調理器の外観を示す斜視図である。図１に基づいて、誘導加熱調理器１００の構成について説明する。なお、図１には、空気の流れを矢印で表している。
【００１０】
誘導加熱調理器１００は、図１のようにその本体１が、上部に開口を有する矩形状箱体に形成されている。本体１の上部開口は、枠体３が取り付けられたトッププレート２によって覆われている。トッププレート２は、調理を行う際に上面に調理容器を載置するものであり、耐熱強化ガラスより構成され、その裏面には内部が見えないように印刷が施されている。また、トッププレート２の表面には、例えば、被加熱物である調理容器（たとえば、図１に示す鍋５０）を加熱する位置を示す円形の加熱部Ｈ１，Ｈ２，Ｈ３が印刷等の方法で表示されている。
【００１１】
トッププレート２の前側の枠体３には、上面操作部４が設けられている。その上面操作部４は、例えば加熱部Ｈ１，Ｈ２にそれぞれ対応して設けられた火力設定用操作部と、グリルの加熱を操作するグリル用操作部からなっている。
【００１２】
トッププレート２の後ろ側の枠体３には、吸気口５と排気口６が設けられており、それぞれ複数の穴（図示せず）を有する吸気口カバー５ａと排気口カバー６ａによって通気可能に覆われている。なお、吸気口５と排気口６は、本体１の背面に設けてもよいものである。
【００１３】
トッププレート２の前面側の中央部には、中央の加熱部Ｈ３の動作状態や、グリルの操作手順、動作状態等を表示する中央液晶表示部７と、その加熱部Ｈ３の火力を表示する中央火力表示部８が設けられている。また、中央液晶表示部７の左右には、加熱部Ｈ１，Ｈ２の動作状態をそれぞれ表示する液晶表示部９ａ，９ｂと、加熱部Ｈ１，Ｈ２の火力をそれぞれ表示する火力表示部１０ａ，１０ｂが設けられている。
【００１４】
本体１の前面には、前後に移動可能なグリル扉１１と前面操作部１２が設けられている。前面操作部１２には、加熱部Ｈ１，Ｈ２，Ｈ３の火力をそれぞれ調節するための火力調節ダイヤルや電源スイッチ等が設けられている。グリル扉１１は、図示省略のグリル加熱庫を開閉するものである。このグリル加熱庫は、前面に開口を有する矩形状箱体に形成され、その中にシーズヒーターからなる上ヒーターや下ヒーターが配設されている。そして、グリル加熱庫の前面開口がグリル扉１１によって開閉される。
【００１５】
図２は本発明の実施形態１に係る誘導加熱調理器の内部構成を透過的に示す平面図である。図３は本発明の実施形態１に係る誘導加熱調理器の内部風路の構成を側方より示す縦断面図である。図２，図３に基づいて、誘導加熱調理器１００の風路構成について説明する。なお、図３には、空気の流れを矢印で表している。
【００１６】
本発明の実施形態に係る誘導加熱調理器は、図２及び図３のように本体１のトッププレート２の下側で吸気口５から排気口６に至る風路内に、冷却ファン１３と、ヒートシンク１４を有する電子部品が搭載された出力制御基板１５と、誘導加熱コイル１６ａ，１６ｂ，１６ｃ（以下、これらをまとめて誘導加熱コイル１６という場合もある）が配置されている。冷却ファン１３は、吸気口５から外部の空気を冷却空気として吸引し、この冷却空気を出力制御基板１５や誘導加熱コイル１６に送り込み、排気口６から排出させる風の流れを発生させるものである。各誘導加熱コイル１６ａ，１６ｂ，１６ｃは、本体１内に水平に設置されたコイルベース１７ａ，１７ｂ，１７ｃ（以下、これらをまとめてコイルベース１７という場合もある）の上面にそれぞれ設置されている。左右の誘導加熱コイル１６ａ，１６ｂは、小径及び大径のリング状の誘導加熱コイルにより構成されており、小径のリング状の誘導加熱コイルと大径のリング状の誘導加熱コイルとの間に形成された環状空間部には、それぞれ２箇所に被加熱物の温度を検出する感熱センサー２０が設けられている。
【００１７】
本体１は、内部空間が、図３のように誘導加熱コイル１６下方に配置された横板１８によって上下の室に画成されているとともに、下の室が縦板１９により正面から見て左右の室に画成され、右側の室が吸気口５に、左側の室が排気口６に、それぞれ連通している。また、本体１の左側の室内には、グリルの箱体が隙間を有して収容されているとともに、縦板１９に、左右の室、特にグリルの箱体の側壁２１と縦板１９との間に形成される隙間と右側の室とを連通させる開口部１９ａが形成されている。つまり、縦板１９は、出力制御基板１５が設けられる室と、グリルが設けられる室を仕切っており、開口部１９ａにより、両室が連通している。
【００１８】
冷却ファン１３と、ヒートシンク１４を有する電子部品が搭載された出力制御基板１５とは、風路における縦板１９にて仕切られた右の室内側に配置されている。風路は、吸気口５から冷却ファン１３に至る第１風路２２と、冷却ファン１３の直後で二股に分岐された分岐路の一方であって、冷却ファン１３にて送風される空気の一部を横板１８の開口部１８ａを通して直接、誘導加熱コイル１６に向かわせる第２風路２３とを有している。また風路は、冷却ファン１３直後で二股に分岐された分岐路の他方であって、内部に出力制御基板１５が配置され、冷却ファン１３にて送風される残りの空気がヒートシンク１４部分を通過するように、つまりヒートシンク１４周りにデッドスペースが無いように形成された第３風路２４とを有している。また、第３風路２４は、ヒートシンク１４よりも下流側で更に二股に分岐されており、この分岐路の一方が、ヒートシンク１４部分を通過した空気の一部を、横板１８の開口部１８ａを仕切る連通部２７を通して誘導加熱コイル１６に向かわせる第４風路２５として構成されている。また、第３風路２４の分岐路の他方は、ヒートシンク１４部分を通過した残りの空気を、縦板１９の開口部１９ａを通して、グリルの箱体の側壁２１と縦板１９との間に形成される隙間から直接、排気口６に向かわせる第５風路２６として構成されている。
【００１９】
図４は本発明の実施形態１に係る誘導加熱調理器のコイルユニットを拡大して示す平面図である。図５は本発明の実施形態１に係る誘導加熱調理器の誘導加熱コイルの構成を拡大して示す断面図である。図４，図５に基づいて、誘導加熱コイル１６の構成について説明する。なお、図５には、誘導加熱コイル１６の素線間の熱伝導の状態を矢印で表している。
【００２０】
誘導加熱コイル１６は、図４，図５のように複数本の素線にて構成される。また、これら複数本の素線は、出力制御基板１５（図３）に接続される複数本の接続素線（図５中に○で示す）１６ｄと、出力制御基板１５に接続されない複数本の非接続素線（図５中に●で示す）１６ｅとで構成されている。ここで、非接続素線１６ｅとは、電流を流さない素線であって、誘導加熱コイルとして機能させない素線のことである。そのため、図４のように接続素線１６ｄのリード線１６ｆには、端子部１６ｇが設けられているが、非接続素線１６ｅの末端には、端子部が設けられていない。
【００２１】
このように、本発明の実施形態１に係る誘導加熱調理器においては、誘導加熱コイル１６を、出力制御基板１５に接続される複数本の接続素線１６ｄと、出力制御基板１５に接続されない複数本の非接続素線１６ｅとで構成し、誘導加熱コイル１６の複数本の素線のうちの一部を出力制御基板と接続させない構成としている。これにより、発熱した接続素線１６ｄの熱を、図５に矢印で示すように非接続素線１６ｅに熱伝導させることができ、熱平衡状態にもっていくことで、接続素線１６ｄを冷却することができる。このため、発熱した誘導加熱コイル１６の温度が下がり、また冷却ファン１３により送り込まれる冷却風による冷却効率も向上する。
【００２２】
実施形態２．
図６は本発明の実施形態２に係る誘導加熱調理器の誘導加熱コイルの構成を拡大して示す断面図であり、前述の実施形態１に相当する部分には同一符号を付してある。なお、図６には、冷却風の風向きを太い矢印で表し、誘導加熱コイル１６の素線間の熱の主な伝導方向を細い矢印で表している。また、説明にあたっては、前述の図３を参照するものとする。また、ここでも図６中で接続素線は○で示し、非接続素線は●で示す。
本発明の実施形態２に係る誘導加熱調理器１００は、図６のように誘導加熱コイル１６の出力制御基板１５に接続されない複数本の非接続素線１６ｅを、冷却ファン１３からの風が当たり難い場所、つまり誘導加熱コイル１６における風下側に配置したものである。それ以外の構成は前述の実施形態１のものと同様である。
【００２３】
本発明の実施形態２に係る誘導加熱調理器においては、誘導加熱コイル１６の出力制御基板１５に接続されない複数本の非接続素線１６ｅを、冷却ファン１３からの風が当たり難い風下側に配置しているので、風が当たり難く、冷却され難い加熱コイル素線からの熱は非接続素線１６ｅにより吸収して放熱させることができる。
【００２４】
また、誘導加熱コイル１６の中心部分の接続素線１６ｄからの熱も、冷却風が当たる接続素線１６ｄ側からの放熱と、反対側に位置する非接続素線１６ｅからの放熱とで、効率良く冷却できる。これにより、部品点数を増やすことなく、発熱した誘導加熱コイルの温度が下がり、また冷却風による冷却効率も向上させることができる。
【００２５】
実施形態３．
図７は本発明の実施形態３に係る誘導加熱調理器の誘導加熱コイルの構成を拡大して示す断面図であり、前述の実施形態１に相当する部分には同一符号を付してある。なお、図７にも、誘導加熱コイル１６の素線間の熱伝導の状態を矢印で表している。また、説明にあたっては、ここでも前述の図３を参照するものとする。また、ここでも図７中で接続素線は○で示し、非接続素線は●で示す。
本発明の実施形態３に係る誘導加熱調理器１００は、図７のように誘導加熱コイル１６の出力制御基板１５に接続されない複数本の非接続素線１６ｅを、誘導加熱コイル１６の最外周に配置したものである。それ以外の構成は前述の実施形態１のものと同様である。
【００２６】
本発明の実施形態３に係る誘導加熱調理器においては、誘導加熱コイル１６の出力制御基板１５に接続されない複数本の非接続素線１６ｅを、誘導加熱コイル１６の最外周に配置しているので、それよりも内側に位置し、誘導加熱コイル１６の出力制御基板１５に接続される複数本の接続素線１６ｄの熱を放射方向へ伝導させることができて、放熱し易くなる。このため、接続素線１６ｄを効率良く冷却することができる。これにより、部品点数を増やすことなく、発熱した誘導加熱コイルの温度が下がり、また冷却風による冷却効率も向上させることができる。
【符号の説明】
【００２７】
１  本体、２  トッププレート、３  枠体、４  上面操作部、５  吸気口、５ａ  吸気口カバー、６  排気口、６ａ  排気口カバー、７  中央液晶表示部、８  中央火力表示部、９ａ，９ｂ  液晶表示部、１０ａ，１０ｂ  火力表示部、１１  グリル扉、１２  前面操作部、１３  冷却ファン、１４  ヒートシンク、１５  出力制御基板、１６，１６ａ，１６ｂ，１６ｃ  誘導加熱コイル、１６ｄ  接続素線、１６ｅ  非接続素線、１６ｆ  リード線、１６ｇ  端子部、１７，１７ａ，１７ｂ，１７ｃ  コイルベース、２０  感熱センサー、１８  横板、１８ａ  開口部、１９  縦板、１９ａ  開口部、２１  側壁、２２  第１風路、２３  第２風路、２４  第３風路、２５  第４風路、２６  第５風路、２７  連通部、５０  鍋、１００  誘導加熱調理器、Ｈ１，Ｈ２，Ｈ３  加熱部。
【図１】
2013171826.tif 000003
【図２】
2013171826.tif 000004
【図３】
2013171826.tif 000005
【図４】
2013171826.tif 000006
【図５】
2013171826.tif 000007
【図６】
2013171826.tif 000008
【図７】
2013171826.tif 000009